(57)【要約】【課題】 衛生的で使い勝手がよい飲み口用キャップと、このキャップが取付けられるマドラーを提供する。【解決手段】飲み口用開口６を有する蓋体４を備えたコップ１に使用されるマドラー１０および飲み口用キャップ１３であって、キャップ１３を蓋体４の飲み口用開口６に差し込まれる栓体部１７と、この栓体部１７の上部に一体に設けられ飲み口用開口６の周縁部上面に密接する鍔部１８と、この鍔部１８の上部に一体に設けられた把持部１９とで構成する。栓体部１７は、下面にマドラー１０の接続部１４が分離可能に差し込まれる接続孔を有する。把持部１９は、各種カード、メモ等の薄状物３０を挟持する挟持片１９Ａ，１９Ｂを有する。【選択図】  図３
2007289258.tif 000002
【特許請求の範囲】
【請求項１】
飲み口用開口を有する蓋体を備えたコップに使用される飲み口用キャップであって、前記蓋体の飲み口用開口に差し込まれる栓体部と、この栓体部の上部に一体に設けられ前記飲み口用開口の周縁部上面に密接する鍔部と、この鍔部の上部に一体に設けられた把持部とを備え、
前記栓体部の下部にマドラーが分離可能に接続される接続孔を設け、
前記把持部に、差し込み口が上方に位置し各種カード、メモ等の薄状物を挟持する挾持片を設けたことを特徴とする飲み口用キャップ。
【請求項２】
前記栓体部は、サイズの最も小さい蓋体に形成されている飲み口用開口に対して挿入可能な大きさおよび形状をもって形成されており、  
前記鍔部は、各種サイズの蓋体の飲み口用開口に対応して上方に向かって大きくなるように段状に形成されており、対応する飲み口用開口の周縁部上面に接触することによりコップ内へのキャップの落下を防止する複数の鍔部で構成されていることを特徴とする請求項１記載の飲み口用キャップ。
【請求項３】
飲み口用開口を有する蓋体を備えたコップに使用されるマドラーにおいて、
下部に掻き混ぜ部を有するマドラー本体の上部を前記請求項１または２に記載の飲み口用キャップの接続孔に分離可能に接続したことを特徴とするマドラー。
【発明の詳細な説明】
【技術分野】
【０００１】
本発明は、飲み口用開口を有する蓋体を備えたコップとともに使用される飲み口用キャップおよびマドラーに関するものである。
【背景技術】
【０００２】
店でコーヒー、紅茶、ココアなどの飲料を使い捨てのコップに入れてお客に提供する場合、特に持ち帰りのお客に対しては、蓋をした状態で飲むための便を図るために、飲み口用の開口を有する蓋体によってコップの開口部を閉塞した状態で提供している。その場合、蓋体の飲み口用開口を通常シールで密閉し、持ち帰りの途中や車内でコップ内の飲料が飲み口用開口からこぼれ出さないようにしている。
【０００３】
一方、飲料入りコップの付属品として提供されコーヒーなどの飲料の掻き混ぜに使用されるマドラーとしては、従来から種々提案されている（例えば、引用文献１〜３参照）。
【０００４】
引用文献１に記載されているマドラーは、その上部にメモ等を挟むためのホルダー部を設けたものである。
【０００５】
引用文献２に記載されているマドラーは、棒状のマドラー本体の一方の先端に掻き混ぜ部を設け、他方の先端にヒンジを介して折畳み自在な左ヒンジ部と右ヒンジ部とを設け、不使用時に左ヒンジ部と右ヒンジ部を折り畳んで短くし、コップの中に収納できるようにしたものである。
【０００６】
引用文献３に記載されているマドラーは、飲み口用の開口を有する蓋体を備えたコップとともに使用されるマドラーに関するもので、飲料を撹拌する機能に加えて、蓋体の飲み口用開口をシールする機能を持たせたものである。このため、このマドラーは、蓋体の飲み口用開口の上端に係合する鍔と、この鍔に続いて設けられ飲み口用開口と略同じ断面を有する嵌合部とからなる開口密閉部を備え、この開口密閉部によって前記飲み口用開口を閉塞しておくと、持ち運ぶ途中でコップ内の飲料が蓋体の飲み口用開口からこぼれ出す心配がなく、安心して持ち運ぶことができるとしている。
【０００７】
【特許文献１】特開平０９−１４０５３８号公報
【特許文献２】特開２００１−２５２１６６号公報
【特許文献３】特開２００１−１２０４１４号公報
【発明の開示】
【発明が解決しようとする課題】
【０００８】
しかしながら、蓋体の飲み口用開口を封止するシールは、シールを蓋体から剥がすとき、シールの裏面側に塗布されている接着剤がシールから剥がれて蓋体の表面側に残るとゴミ等が付着しやすく不衛生であるばかりか、口をコップの口当て部に当ててコップ内の飲料を飲むとき、口が接着剤に接触するとべとついて気持ちが悪く、味覚を低下させる。また、シールを剥がすとき、指が蓋体の口当て部や飲み口用開口に触れると、口当て部や飲み口用開口が汚るため不衛生である。
【０００９】
また、シールによって飲み口用開口を密閉するとき、シール面全体が濡れてしまったり、あるいはシールを頻繁に着脱していると接着剤が効かなくなるため、新しいものと交換する必要があるなどの問題があった。
【００１０】
特許文献１および特許文献２に記載されているマドラーは、蓋体の飲み口用開口を閉塞する機能を備えていないので、持ち帰りのお客に対しては、飲み口用開口を前述したシールによって閉塞せざるを得ず、上記した問題が生じる。
【００１１】
特許文献３に記載されているマドラーは、開口密閉部を備えているので蓋体の飲み口用開口を閉塞することができるが、この開口密閉部はある特定の大きさの開口に対応するように形成されているため、サイズが異なる蓋体の飲み口用開口に対しては用いることができず、汎用性に欠けるという問題があった。すなわち、コップは通常高さおよび開口径が異なる大中小の３種類がある。このため、これに応じて蓋体のサイズ、さらには蓋体の飲み口用開口の大きさも異なり、サイズが異なる蓋体毎にマドラーを用意すると、その種類が増加し、製造コストが高くなる。したがって、各種サイズの蓋体に対して共通に使用することができる汎用性の高いマドラーの開発が要請されている。
【００１２】
さらに、最近ではコーヒーの愛飲家の中では、健康上の理由等から砂糖やミルクを用いずブラックで飲む愛飲家の割合が増加してきているため、このような愛飲家にとってはマドラーを使用する必要性がなく、蓋体の飲み口用開口のシールのみが問題となる。しかしながら、現状では前述した接着タイプのシールしかなく、蓋体の飲み口用開口を閉塞する衛生的な飲み口用キャップの開発が要請されている。
【００１３】
本発明は、上記した従来の問題および要請に応えるべくなされたものであり、その目的とするところは、衛生的で使い勝手がよく、必要に応じてマドラーに取付けられて使用することができる飲み口用キャップを提供することにある。
【００１４】
また、本発明は、必要に応じて前記飲み口用キャップを取付けて使用することができ、お客の嗜好、飲み方等に対応したきめの細かいサービスを可能にしたマドラーを提供することにある。
【課題を解決するための手段】
【００１５】
上記目的を達成するために第１の発明は、飲み口用開口を有する蓋体を備えたコップに使用される飲み口用キャップであって、前記蓋体の飲み口用開口に差し込まれる栓体部と、この栓体部の上部に一体に設けられ前記飲み口用開口の周縁部上面に密接する鍔部と、この鍔部の上部に一体に設けられた把持部とを備え、前記栓体部の下部にマドラーが分離可能に接続される接続孔を設け、前記把持部に、差し込み口が上方に位置し各種カード、メモ等の薄状物を挟持する挾持片を設けたものである。
【００１６】
第２の発明は、前記第１の発明に係る飲み口用キャップにおいて、前記栓体部がサイズの最も小さい蓋体に形成されている飲み口用開口に対して挿入可能な大きさおよび形状をもって形成され、前記鍔部が各種サイズの蓋体の飲み口用開口に対応して上方に向かって大きくなるように段状に形成されており、対応する飲み口用開口の周縁部上面に接触することによりコップ内へのキャップの落下を防止する複数の鍔部で構成されているものである。
【００１７】
第３の発明は、飲み口用開口を有する蓋体を備えたコップに使用されるマドラーにおいて、下部に掻き混ぜ部を有するマドラー本体の上部を前記請求項１または２に記載の飲み口用キャップの接続孔に分離可能に接続したものである。
【発明の効果】
【００１８】
第１の発明に係る飲み口用キャップによれば、把持部を把持して栓体部を蓋体の飲み口用開口に挿入し、鍔部を前記開口の周縁部表面に密接するだけで飲み口用開口を閉塞することができるので、シールを用いる必要がなく、飲み口用開口を確実に閉塞することができ、コップ内の飲料がこぼれ出るのを防止することができる。また、把持部を備えているので、取り扱いが容易で、蓋体の口当て部や飲み口用開口を汚したりするおそれがなく衛生的である。
また、把持部の挟持片によって各種カード、メモ等の薄状物を挟持しておくと、お客へのきめ細かな各種サービス、案内等を提供することができる。薄状物としては、クーポン券、ウエイティングカード、インフォメーションカード、広告、サービス券等が考えられる。
【００１９】
第２の発明に係る飲み口用キャップによれば、最もサイズの小さい蓋体の飲み口用開口に対して挿入可能な栓体部と、各種サイズの蓋体の飲み口用開口に対応した複数の鍔部を有しているので、各種サイズの蓋体に対して共通に使用することができ、キャップの種類を削減することができる。
【００２０】
第３の発明に係るマドラーによれば、前記第１または第２の発明に係る飲み口用キャップを分離可能に接続して使用すると、シールを必要とせず、衛生的で飲み口用開口を確実に閉塞することができ、コップ内の飲料がこぼれ出るのを防止することができる。
【発明を実施するための最良の形態】
【００２１】
以下、本発明を図面に示す実施の形態に基づいて詳細に説明する。
図１は本発明に係る飲み口用キャップを備えたマドラーの一実施の形態を示す外観斜視図、図２は同マドラーと飲み口用キャップを分離した状態を示す正面図、図３は同マドラーを蓋体の飲み口用開口からコップ内に差し込んだ状態を示す外観斜視図、図４は同マドラーを蓋体の飲み口用開口からコップ内に差し込んだ状態を示す一部破断正面図である。これらの図において、参照符号１で示すものはコーヒー等の飲料２を収容する紙またはプラスチックからなる使い捨てのコップで、ラージサイズ（Ｌ）、ミディアムサイズ（Ｍ）、スモールサイズ（Ｓ）の３種類があり、サイズが大きくなるにしたがって高さおよび開口部３の径が大きくなっている。コップ１の上端は、断面円形または楕円形になるように外側に折り返されることにより、折り返し部１ａを形成している。
【００２２】
４はコップ１の開口部３を覆う紙またはプラスチック製の蓋体で、この蓋体４は上面中央に凹陥部５を有する円筒状の口当て部４Ａと、この口当て部４Ａの下端に続いてこれより大きな外径をもって一体に延設され前記コップ１の外周面上端部に嵌合することにより前記開口部３を覆う環状の周縁部４Ｂとで構成されている。口当て部４Ａの上面には、蓋体４の内外を連通させる周方向に長い飲み口用の開口６と空気抜き用の小孔７とが形成されている。前記飲み口用開口６は、蓋体４によってコップ１の開口部３を閉塞した状態でコップ１内の飲料２を飲む際の飲み口として用いられる。小孔７は、前記飲み口用開口６と対向するように周方向に１８０°離間した位置に形成されている。
【００２３】
蓋体４の周縁部４Ｂは、断面形状が略Ｓ字状に形成されることにより、内面側に前記コップ１の上端折り返し部１ａを係止する係止部８を有している。係止部８は、周縁部４Ｂの内面に形成された環状溝で構成されており、コップ１の上端折り返し部１ａが下方から押し込まれることによりコップ１と蓋体４が容易に外れないようにしている。また、コップ１の上端折り返し部１ａと係止部８とは、互いに密接することによりコップ１の開口部３をシールし、内部の飲料２がこぼれ出ないようにしている。
【００２４】
このような蓋体４は、コップ１のサイズに合わせて形成されることにより、コップ１と同様にラージサイズ、ミディアムサイズ、スモールサイズの３種類が用意される。蓋体４の飲み口用開口６の大きさは、蓋体４のサイズに応じて異なり、サイズが大きくなるにしたがって長さおよび幅が大きくなっている。因みに、飲み口用開口６の大きさは、ラージサイズの蓋体で１３×８ｍｍ、ミディアムサイズの蓋体で１２×７ｍｍ、スモールサイズの蓋体で１０×６ｍｍ程度である。
【００２５】
１０は前記飲み口用開口６を有する蓋体４を備えたコップ１に使用されるマドラー１０で、このマドラー１０は、合成樹脂製の成形品からなり、マドラー本体１１と、このマドラー本体１１の下部に一体に設けられた掻き混ぜ部１２とで構成され、上部に飲み口用キャップ１３が分離可能に接続されている。
【００２６】
マドラー１０に飲み口用キャップ１３を分離可能に接続した理由は、お客の希望に応じて飲み口用キャップ１３を一体的に備えたマドラー１０を提供したり、マドラー１０と飲み口用キャップ１３をそれぞれ単体で提供したりすることができるようにするためである。すなわち、コーヒーをブラックのままで飲む持ち帰りのお客の場合は、マドラーを不要としないことをお客に確認した上で、マドラー１０の付いていない飲み口用キャップ１３によって蓋体４の飲み口用開口６を閉塞し、飲料２が入ったコップ１をお客に提供する。一方、砂糖やミルクを入れて飲む持ち帰りのお客の場合は、マドラーを必要とすることをお客に確認した上で、飲み口用キャップ１３付きのマドラー１０を蓋体４の飲み口用開口６に装着し、飲料２が入ったコップ１をお客に提供する。店内で飲むお客の場合は、通常蓋体４を使用しないため、飲料２が入ったコップ１と飲み口用キャップ１３の付いていないマドラー１０をお客に提供する。
【００２７】
また、マドラー１０は、図２に示すように長短２種類のマドラー１０Ａ，１０Ｂがコップ１のサイズに応じて用意される。長いマドラー１０Ａは、ラージサイズのコップに使用され、短いマドラー１０Ｂはミディアムサイズとスモールサイズのコップ１に共通に使用される。マドラー１０Ａとマドラー１０Ｂの異なる点は、マドラー本体１１Ａ，１１Ｂの長さが異なる点のみであり、その他の構成は全く同一である。マドラー本体１１Ａの全長は、９０ｍｍ程度、マドラー本体１１Ｂの全長は７５ｍｍ程度である。
【００２８】
前記マドラー本体１１（１１Ａ，１１Ｂ）は、幅が２．５ｍｍ程度、厚さが１．５ｍｍ程度の細長い板状に形成されており、下端にコップ１内の飲料２を掻き混ぜる前記掻き混ぜ部１２が一体に設けられ、上端部が前記飲み口用キャップ１３との接続部１４を形成している。掻き混ぜ部１２は、正面視形状が縦長の略楕円形または逆三角形で、スモールサイズの蓋体４の飲み口用開口６よりも小さく形成されている。掻き混ぜ部１２の長さは、１１ｍｍ程度である。接続部１４は、幅２．５ｍｍ、長さ（高さ）３ｍｍ、厚さ１ｍｍ程度の突起で構成されている。
【００２９】
前記飲み口用キャップ１３は、前記蓋体４の飲み口用開口６に挿入される栓体部１７と、この栓体部１７の上部に一体に設けられた鍔部１８と、この鍔部１８の上部に一体に設けられた把持部１９とで構成されている。
【００３０】
前記栓体部１７は、上端から下端に向かうにしたがって幅および厚さが徐々に減少する正面視逆台形のブロックからなり、上端の平面視形状がスモールサイズの蓋体４の飲み口用開口６と略同一の大きさかもしくはこれより若干大きく形成されている。栓体部１７の下面には、前記マドラー１０との接続部を構成する接続孔２１が形成されている。この接続孔２１はマドラー１０の接続部１４と略同じ大きさの矩形穴で、接続部１４が圧入される。このように接続部１４を接続孔２１に圧入すると、マドラー１０と飲み口用キャップ１３を確実に接続することができ、マドラー１０が飲み口用キャップ１３から不測に外れてコップ１内に落下するのを防止することができる。
【００３１】
前記鍔部１８は、各種サイズの蓋体４に形成されている飲み口用開口６に対応して、幅および厚さが下方から上方に向かって大きくなるように段状（階段状）に形成された第１〜第３の鍔部１８Ａ，１８Ｂ，１８Ｃで構成されている。
【００３２】
下方に位置する第１の鍔部１８Ａは、スモールサイズの蓋体４の飲み口用開口６より若干大きく形成されることにより、外周縁部が栓体部１７の上側外周縁より外側に突出しており、前記栓体部１７がスモールサイズの蓋体４の飲み口用開口６に挿通されると、外周縁部下面が蓋体４の上面で飲み口用開口６の周縁部に接触して飲み口用キャップ１３を係止し、飲み口用キャップ１３がコップ１内に落ちないようにする。
【００３３】
中間に位置する第２の鍔部１８Ｂは、ミディアムサイズの蓋体４の飲み口用開口６より若干大きく形成されることにより、外周縁部が前記第１の鍔部１８Ａの上側外周縁より外側に突出しており、前記栓体部１７と第１の鍔部１８Ａがミディアムサイズの蓋体４の飲み口用開口６に挿通されると、外周縁部下面が蓋体４の上面で飲み口用開口６の周縁部に接触して飲み口用キャップ１３を係止し、飲み口用キャップ１３がコップ１内に落ちないようにする。
【００３４】
上方に位置する第３の鍔部１８Ａ〜１８Ｃは、ラージサイズの蓋体４の飲み口用開口６より若干大きく形成されることにより、外周縁部が前記第２の鍔部１８Ｂの上側外周縁より外側に突出しており、前記栓体部１７および第１、第２の鍔部１８Ａ，１８Ｂがラージサイズの蓋体４の飲み口用開口６に挿通されると、外周縁部下面が蓋体４の上面で飲み口用開口６の周縁部に接触して飲み口用キャップ１３を係止し、飲み口用キャップ１３がコップ１内に落ちないようにする。
【００３５】
第１〜第３の鍔部１８Ｃの外周縁は、縦断面形状が半円形（または半楕円形）に形成されている。このため、第１の鍔部１８Ａの外周縁部上面と第２の鍔部１８Ｂの外周縁部下面との間には、略三角形の凹み２４が第１の鍔部１８Ａの全周にわたって形成されている。この凹み２４は、ミディアムサイズの蓋体４の飲み口用開口６に第１の鍔部１８Ａを押し込んだとき、飲み口用開口６の縁を係止する係止部として機能する。すなわち、飲み口用開口６は、第１の鍔部１８Ａによって押し広げられた後、第１の鍔部１８Ａが飲み口用開口６を完全に通り、蓋体４の上面と第２の鍔部１８Ｂの外周縁部下面とが密接すると、元の大きさに復帰するため、飲み口用開口６の縁部が前記凹み２４に係入し、これによって飲み口用キャップ１３が飲み口用開口６に係止される。同様に、第２の鍔部１８Ｂにも、同様に外周縁の縦断面形状が半円形（または反楕円形）に形成されることにより、第２の鍔部１８Ｂの外周縁部上面と第３の鍔部１８Ｃの外周縁部下面との間に、ラージサイズの蓋体４の飲み口用開口６を係止する略三角形の凹み２５が形成されている。さらに、栓体部１７の上端外周部に同様な略三角形の凹みを全周にわたって形成しておくと、スモールサイズの蓋体４の飲み口用開口６に栓体部１７を挿入したとき、前記凹みによって前記飲み口用開口６の縁部を係止することができる。
【００３６】
前記把持部１９は、マドラー１０を蓋体４の飲み口用開口６に差し込んだり、あるいは飲み口用キャップ１３を単体で取り扱うときに把持される部分であり、各種カード、メモ等の薄状物３０を挟持する挾持部としての機能をも有している。このため、この把持部１９は、第３の鍔部１８Ｃの上面に上方に向かって一体に突設された板厚方向（前後方向）に弾性変形可能な一対の挟持片１９Ａ，１９Ｂとで構成されている。後方側に位置する挟持片１９Ａは、前方側に位置する挟持片１９Ｂよりも上方に高く延在するように平板状に形成されている。また、後方側の挟持片１９Ａは、自然状態で若干前方に傾斜するように形成されることにより、前方への復帰習性が付与されている。
【００３７】
一方、前方側の挟持片１９Ｂは、後方に向かって傾斜するように形成されることにより、後方への復帰習性が付与されている。これらの挟持片１９Ａ，１９Ｂの復帰習性は、薄状物３０が差し込まれたとき、当該薄状物３を挟持する挾持力として薄状物３０に作用する。前方側の挟持片１９Ｂの上端付近部は、薄状物３０の挟持を確実にするために前記後方側挟持片１９Ａの前面に接触している。また、この接触部３１よりも上方部分３２は、薄状物３０の把持部１９への上方からの差し込みを容易にするために前方側に所要角度をもって折り曲げられている。なお、後方側挟持片１９Ａの上端部表面と前方側挟持片１９Ｂの上方部分３２との間には、薄状物３０の差し込み口となるＶ字状の空間が形成されている。
【００３８】
前記薄状物３０は、下端部が上方から前記差し込み口３３を通って一対の挟持片１９Ａ，１９Ｂ間に差し込まれると、これらの挟持片１９Ａ，１９Ｂによって挾持される。薄状物３０としては、お客へのサービスや情報等を提供するものであれば何でもよく、例えばクーポン券、ウエイティングカード、インフォメーションカード、広告、サービス券、メモ等が考えられる。
【００３９】
図５〜図７はそれぞれ飲み口用キャップの他の実施の形態を示す斜視図、正面図および側面図である。なお、図１〜図４と同一構成部材、部分については同一符号をもって示し、その説明を省略する。図５において、飲み口用キャップ４０は、栓体部１７と、鍔部１８と、把持部４１とで構成されている。把持部４１は、後方側挟持片４１Ａと前方側挟持片４１Ｂとで構成されている。また、後方側挟持片４１Ａは、縦長の板状体に形成され、左右両側縁に一体に延設された左右一対のウイング４２Ａ，４２Ｂを有している。前方側の挟持片４１Ｂは、前記後方側挟持片４１Ａと略同一の幅でこれより高さが低く形成されている。また、これらの側挟持片４１Ａ，４１Ｂは、薄状物３０が上方から挿入されると、外側に弾性変形し、その復元力で薄状物３０を挟持する。
【００４０】
このような飲み口用キャップ４０においては、一対の挟持片４１Ａ、４１Ｂで薄状物３０を挟持すると、薄状物３０の裏面が後方側挟持片４１Ａと一対のウイング２Ａ，４２Ｂに接触して接触面積が増大するため、薄状物３０をより安定した状態で保持することができる。
【００４１】
図６は、図５に示した飲み口用キャップ４０において、各ウイング４２Ａ，４２Ｂの表裏面（またはいずれか一方の面）に点字５０を表示し、視覚障害者に対するサービス、情報提供等を行うようにしたものである。
【００４２】
図７は、飲み口用キャップ６０の把持部６１を、前後方向に並設された第１〜第３の挟持片６１Ａ，６１Ｂ，６１Ｃとで構成し、第１の挟持片６１Ａと第２の挟持片６１Ｂとの間と、第２の挟持片６１Ｂと第３の挟持片６１Ｃとの間に、薄状物３０，３０をそれぞれ上方から差し込むようにしたものである。中央に位置する第２の挟持片６１Ｂは略垂直な固定片を形成しており、表裏面の高さ方向中間部に第１、第３の挟持片６１Ａ，６１Ｃが接触する突子６２が一体に突設されている。第１、第３の挟持片６１Ａ，６１Ｂは、第２の挟持片６１Ｂより薄肉に形成されることにより板厚方向に弾性変形可能で、かつ第２の挟持片６１側に傾斜して設けられている。
【００４３】
このように本発明に係るマドラー１０は、蓋体４の飲み口用開口６を閉塞する飲み口用キャップ１３を分離可能に備えているので、シールを必要とせず、飲み口用キャップ１３によって蓋体４の飲み口用開口６を確実に閉塞することができる。したがって、接着剤で飲み口用開口６の周囲を汚したりするおそれがなく衛生的である。また、飲料２が外気に直接触れたり、異物が飲み口用開口６からコップ１内に侵入するのを防止することができる。
【００４４】
また、飲み口用キャップ１３は、把持部１９の把持により蓋体４の飲み口用開口６に対して着脱操作されるものであるため、飲料２に触れる栓体部１７や鍔部１８を把持したり、蓋体４の口当て部４Ａや飲み口用開口６を手で触る必要がなく、この点からもきわめて衛生的である。
【００４５】
また、マドラー１０と飲み口用キャップ１３とは分離可能に接続されているので、予め店に飲み口用キャップ１３を備えたマドラー１０と、互いに分離された単体からなるマドラー１０と飲み口用キャップ１３とを用意しておき、お客、特に持ち帰りのお客の場合、注文に応じて飲料入りのコップ１とその付属品であるマドラー１０を提供する際、店員がそのお客の希望を確認してこれらのうちのいずれか１つを蓋体４の飲み口用開口部６に装着して提供するようにすればよい。すなわち、持ち帰りのお客の場合は、蓋体４を必要とするため、飲み口用キャップ１３も必要となる。その場合、砂糖やミルクを入れずにブラックでコーヒーを飲むお客にとってはマドラー１０を必要としないため、この点を確認してマドラー１０の付いていない飲み口用キャップ１３で蓋体４の飲み口用開口６を閉塞してお客に提供し、砂糖やミルクを入れてコーヒーを飲むお客に対しては、マドラー１０のついた飲み口用キャップ１３で蓋体４の飲み口用開口６を閉塞してお客に提供する。一方、店で飲んで帰るお客の場合は、蓋体４を必要としないため、その場合は飲料２の入ったコップ１と飲み口用キャップ１３が付いていないマドラー１０を提供する。このように、お客にあわせてマドラー１０や飲み口用キャップ１３を提供すると、過剰なサービスとならず、マドラー１０や飲み口用キャップ１３の使用量を削減することができる。
【００４６】
また、キャップ付きのマドラー１０または単体の飲み口用キャップ１３を提供する際には、キャップ１３の挾持部を兼用する把持部１９（４１，６１）に各種カード、メモ等の薄状物３０を予め挾持させておくと、お客へのよりきめ細かなサービス、情報提供等を行うことができる。
【００４７】
さらに本発明においては、飲み口用キャップ１３に、各サイズの蓋体４の飲み口用開口６の大きさに対応する３つの鍔部１８Ａ，１８Ｂ，１８Ｃを設けているので、サイズが異なる蓋体４であっても、その飲み口用開口６を確実に閉塞することができ、飲み口用キャップ１３を共通部品として使用することができる。
【図面の簡単な説明】
【００４８】
【図１】本発明に係る飲み口用キャップを備えたマドラーの一実施の形態を示す外観斜視図である。
【図２】同マドラーと飲み口用キャップを分離した状態を示す正面図である。
【図３】同マドラーを蓋体の飲み口用開口からコップ内に差し込んだ状態を示す外観斜視図である。
【図４】同マドラーを蓋体の飲み口用開口からコップ内に差し込んだ状態を示す一部破断正面図である。
【図５】飲み口用キャップの他の実施の形態を示す斜視図である。
【図６】飲み口用キャップの他の実施の形態を示す正面図である。
【図７】飲み口用キャップのさらに他の実施の形態を示す側面図である。
【符号の説明】
【００４９】
１…コップ、２…飲料、３…コップの開口部、４…蓋体、６…飲み口用開口、１０…マドラー、１１…マドラー本体、１２…掻き混ぜ部、１３…飲み口用キャップ、１４…接続部、１７…栓体部、１８，１８Ａ〜１８Ｃ…鍔部、１９…把持部、１９Ａ，１９Ｂ…挟持片、２１…接続孔、３３…差し込み口、４０，６０…飲み口用キャップ。
【図１】
2007289258.tif 000003
【図２】
2007289258.tif 000004
【図３】
2007289258.tif 000005
【図４】
2007289258.tif 000006
【図５】
2007289258.tif 000007
【図６】
2007289258.tif 000008
【図７】
2007289258.tif 000009